(57)【特許請求の範囲】
【請求項１】
内部をカードが搬送される搬送路と、前記搬送路内で前記カードを搬送する搬送手段と、前記搬送路内の前記カードにデータを記録及び／又は前記搬送路内の前記カードに記録されたデータを再生するデータ記録再生手段と、前記カードに可視画像を形成する画像形成手段と、前記カードに接触して該カードを冷却する第１の冷却手段と、を備えたカードリーダであって、前記第１の冷却手段が前記カードの搬送方向に対し前記画像形成手段の前後の少なくとも一方に前記カードを急冷するように設けられ、前記第１の冷却手段と前記画像形成手段が駆動部によって前記搬送路から昇降され、前記可視画像の形成時以外に退避することができることを特徴とするカードリーダ。
【請求項２】
前記カードに形成された可視画像を消去する画像消去手段と、前記画像消去手段で発生した熱を前記カードに接触して冷却する第２の冷却手段と、を備え、前記第２の冷却手段が前記カードの搬送方向に対し前記画像消去手段の前後の少なくとも一方に設けられ、該第２の冷却手段と前記画像消去手段が駆動部によって前記搬送路から昇降され、前記可視画像の消去時以外に退避することができることを特徴とする請求項１記載のカードリーダ。
【請求項３】
前記画像消去手段により前記カードに可視画像を消去した後に前記第１及び第２／又は第１の冷却手段により前記カードを冷却し、前記画像形成手段により前記カードに可視画像を形成する制御を行う制御部を備えたことを特徴とする請求項２に記載のカードリーダ。
【請求項４】
前記制御部は、前記データ記録再生手段が前記カードにデータを記録又は再生している際に前記第１及び第２の冷却手段を前記搬送路より退避させる制御を行うことを特徴とする請求項２または３に記載のカードリーダ。
【請求項５】
前記第１又は第２冷却手段は、前記カードを挟持した状態で冷却する一対のローラを備えたことを特徴とする請求項２乃至４の何れか一項に記載のカードリーダ。
【発明の詳細な説明】
【０００１】
【発明の属する技術分野】
本発明は、カード、テープ等の記録媒体に、データの記録及び／又は再生を行うカードリーダに関するものである。
【０００２】
【従来の技術】
図１４は従来のカードリーダの要部断面図である。
【０００３】
図１４において、１はカードであり、ロイコ系と呼ばれるリライトカードが使用される。
【０００４】
ロイコ系リライトカードは、例えば、所定の温度以上に加熱し急冷することで、可視的な像などを形成することが可能なカードである。また、所定の温度範囲内にカードの温度を所定時間加熱することで、カードに形成された画像を不可視とすることができる。しかし、カードに可視像を形成する際、所定の温度以上に加熱しても、その後除冷すると良好な発色が得られない。
【０００５】
１００は従来のカードリーダ、１０１はカードリーダ１００のシャーシ、１０２はシャーシ１０１の前側面に形設されたカード１の挿入口、１０３はシャーシ１０１内に形設されたカード１の搬送路、１０３ａはシャーシ１０１のガイダー、１０４，１０５，１０６は搬送路１０３の下部に回転自在に軸支された駆動ローラ、１０７，１０８，１０９は各々駆動ローラ１０４，１０５，１０６と対向して搬送路１０３の上部に回転自在に軸支された従動ローラ、１１０は搬送路１０３の下部に配設されカード１に磁気的な情報を記録・再生する磁気ヘッド、１１１は磁気ヘッド１１０に対向して配設された押圧ローラ、１１２は搬送路１０３上部に配設されカード１に印字を行うサーマルヘッド、１１３はサーマルヘッドホルダ、１１４はサーマルヘッドホルダ１１３をシャーシ１０１に回動自在に支持する回動桿、１１４ａは回動桿１１４の回動軸、１１４ｂは回動桿１１４を下方に付勢するコイルバネ、１１５はサーマルヘッド１１２と対向して搬送路１０３の下方に回転自在に軸支されたプラテン、１１６は搬送路１０３の上方に配設されカード１に印字されたキャラクタ等の消去を行う消去ヘッド、１１７は消去ヘッドホルダ、１１７ａは消去ヘッドホルダ１１７を下方に付勢するコイルバネ、１１８は回動軸１１８をサーマルヘッドホルダ１１３に軸支する回動軸、１１９は消去ヘッド１１６に対向して搬送路１０３の下部に配設されたプラテン、１２０はサーマルヘッド１１２を搬送路１０３及び消去ヘッド１１６に突出／退避させるために昇降を行うための昇降モータ、１２１はサーマルヘッドホルダ１１３に当接するように配設され昇降モータ１２０により回転駆動されるカムである。
【０００６】
以上のように構成された従来のカードリーダにおいて、以下その動作を説明する。
【０００７】
挿入口１０２から挿入されたカード１は、ガイダー１０３ａによりガイドされた搬送路１０３内を駆動ローラ１０４，１０５，１０６及びそれに対向する従動ローラ１０７，１０８，１０９に挟持された状態で、駆動ローラ１０４，１０５，１０６の回転により搬送される。
【０００８】
磁気ヘッド１１０は、搬送路１０３内を搬送されるカード１に磁気的な情報を記録・再生する。カード１に印字・消去する場合、サーマルヘッドホルダ１１３，消去ヘッドホルダ１１７は、各ホルダに掛けられたバネ（コイルバネ１１４ｂ及びコイルバネ１１７ａ）により下方に付勢されているため、カード１は消去ヘッド１１６とプラテン１１９及びサーマルヘッド１１２とプラテン１１５との間に挟持された状態で搬送され、サーマルヘッド１１２及び消去ヘッド１１６により、カード１上の所定の位置に印字・消去が行われる。
【０００９】
印字・消去が終了すると、昇降モータ１２０により、カム１２１を介してサーマルヘッド１１２及び消去ヘッド１１６は搬送路１０３の上方へ退避される。
【００１０】
カード１上の所定の位置に、予めキャラクタ等の可視画像が印字されている場合、まず、カード１上に印字された可視画像の上面に、消去ヘッド１１６を押圧付勢し、カード１の温度を所定の温度範囲内に所定の時間加熱し可視画像を消去する。その直後、消去ヘッド１１６の後方にあるサーマルヘッド１１２によりカード１の所定の位置を所定の温度以上に加熱することにより、新たな可視画像を印字する。
【００１１】
しかしながら、上記方法では、カード１への印字前に消去ヘッド１１６によりカード１全体が温められているため、サーマルヘッド１１２によりカード１を所定の温度以上に加熱しても、その後、カード１を急冷することができず除冷されるため、カード１上に良好な発色を得ることができない。
【００１２】
そこで、従来のカードリーダは、搬送路１０３の近傍に冷却ファンを配設し、カード１上の画像を消去した直後、すぐに印字を行わず、まず消去ヘッド１１６が冷却するまでサーマルヘッド１１２の後方にカード１を待機させ、その後、カード１を搬送路１０３の前方に向け搬送しながらサーマルヘッド１１２により印字を行っていた。
【００１３】
【発明が解決しようとする課題】
しかしながら、上記従来のカードリーダでは、以下のような課題を有していた。
【００１４】
（１）搬送路１０３の近傍に冷却ファンを配設するため、カードリーダの装置をコンパクトに構成することが難しく、小型化が困難である。
【００１５】
（２）カード１上に予め印字された可視画像を消去した後に新たな可視画像を印字する場合、一度カード１上の画像を消去した直後、まず消去ヘッド１１６が冷却するまでカード１を待機させ、その後、サーマルヘッド１１２によりカード１に印字を行うため、カード１に可視画像を印字する処理時間が長い。
【００１６】
本発明は上記従来の課題を解決するもので、カード上の印字品質を落とすことなく、カードに可視画像を印字するための処理時間を短縮することが可能で、カードを搬送路内でスムーズに搬送することが可能なカードリーダを提供することを目的とする。
【００１７】
【課題を解決するための手段】
上記課題を解決するために本発明は、内部をカードが搬送される搬送路と、搬送路内でカードを搬送する搬送手段と、搬送路内のカードにデータを記録及び／又は搬送路内のカードに記録されたデータを再生するデータ記録再生手段と、カードに可視画像を形成する画像形成手段と、カードに接触して該カードを冷却する第１の冷却手段と、を備えたカードリーダであって、第１の冷却手段がカードの搬送方向に対し画像形成手段の前後の少なくとも一方にカードを急冷するように設けられ、第１の冷却手段と画像形成手段が駆動部によって搬送路から昇降され、可視画像の形成時以外に退避することができる構成より成る。
【００１８】
この構成により、カード上の印字品質を落とすことなく、カードに可視画像を印字するための処理時間を短縮することが可能で、カードを搬送路内でスムーズに搬送することが可能なカードリーダを提供することができる。
【００１９】
【発明の実施の形態】
上記目的を達成するために、本発明の請求項１に記載のカードリーダは、内部をカードが搬送される搬送路と、搬送路内でカードを搬送する搬送手段と、搬送路内のカードにデータを記録及び／又は搬送路内のカードに記録されたデータを再生するデータ記録再生手段と、カードに可視画像を形成する画像形成手段と、カードに接触して該カードを冷却する第１の冷却手段と、を備えたカードリーダであって、第１の冷却手段がカードの搬送方向に対し画像形成手段の前後の少なくとも一方にカードを急冷するように設けられ、第１の冷却手段と画像形成手段が駆動部によって搬送路から昇降され、可視画像の形成時以外に退避することができる構成としたものである。
【００２０】
本発明の請求項２に記載のカードリーダは、請求項１記載のカードリーダであって、カードに形成された可視画像を消去する画像消去手段と、画像消去手段で発生した熱をカードに接触して冷却する第２の冷却手段と、を備え、第２の冷却手段がカードの搬送方向に対し画像消去手段の前後の少なくとも一方に設けられ、該第２の冷却手段と画像消去手段が駆動部によって搬送路から昇降され、可視画像の消去時以外に退避することができる構成としたものである。
【００２１】
請求項１の作用は上述したとおりであり、請求項２の作用はこれに加えて、
（１）カードに形成された可視画像を消去した後に新たに可視画像を形成する場合、画像消去手段がカードに形成された可視画像を消去した後、冷却手段がカードに接触して伝熱によりカードを冷却し、画像形成手段は冷却されたカードに可視画像を形成するとともに、可視画像を消去した後に確実にカードを冷却し、カードが冷却された後にカード上に新たに可視画像を形成することが可能となり、可視画像の良好な発色を得ることが可能となる。
【００２２】
（２）可視画像の消去後のカード上の印字品質を落とすことなく、カード上の可視画像を消去した後に新たな可視画像を印字するための処理時間を短縮することが可能となる。
【００２３】
（３）冷却手段は接触による伝熱でカードを冷却するため、冷却ファンのように大きな設置スペースを必要とせず、装置の小型化が可能となる。
【００２４】
（４）カードに可視画像を消去・形成しない場合には、冷却手段を搬送路から退避させることが可能であり、カードを搬送路内で移動する際にカードの搬送をスムーズに行うことが可能となる。また、変形したカードを平たい状態に伸ばし、消去ヘッド・サーマルヘッドとカードとの接触を均一にすることができる。
【００２５】
（５）カード上に磁気データを記録／再生する場合、冷却手段が搬送路から退避するため、カード搬送の負荷変動が抑えられ、磁気データのエラーレートが低減される。
【００２６】
ここで、搬送手段としては、搬送用のローラ、搬送用のベルト等が好適に用いられる。
【００２７】
また、冷却手段は搬送路に搬送路から退避自在に配設されているが、配設の仕方としては、モータ、ソレノイド等を使用し垂直に昇降する構造や、支点を軸に回転しながら昇降する構造などとされる。
【００２８】
データ記録再生手段としては、磁気ヘッド、光学ヘッド、ＩＣカードの表面に配設された電極と接触する少なくとも１つの電極等が使用される。
【００２９】
画像形成手段としては、サーマルヘッド、インクジェットヘッド等が好適に用いられる。カードの可視画像を形成する部分がリライト層により構成されている場合にはデータ記録再生手段としてサーマルヘッドを使用し、カードの可視画像を形成する部分が追記式のものにより構成されている場合には、データ記録再生手段としてサーマルヘッドやインクジェットヘッド等が使用される。
【００３０】
画像消去手段としては、発熱抵抗体（基板上に発熱体を設け、その発熱体を覆うようにガラスやシリカ等の保護膜を設けた構成のヒータ等）、平板状のヒータスタンプ等が好適に用いられる。
【００３１】
冷却手段としては、カードを挟持した状態で冷却を行う一対のローラや搬送路の上方に上下動自在に配設された冷却用の平板などが使用される。また、冷却手段はカードの搬送方向に対し画像形成手段及び／又は画像消去手段の前後の少なくとも一方に印字品質を落さないようにして配設されているが、配設の仕方としては、例えば、消去ヘッドとサーマルヘッドとの間又はその前後に１乃至複数の冷却ローラ（冷却手段としての冷却ローラ）を搬送路を挟んで対峙させて配設する構成などがとられる。この場合、冷却ローラ（冷却手段）が多ければ、消去ヘッド・サーマルヘッドの前後でカードは十分に冷却されるが、その反面、冷却ローラの本数が増えれば、装置が大型化するため、冷却ローラ（冷却手段）の数は装置サイズを考慮して決める必要がある。
【００３２】
請求項３に記載の発明は、請求項２に記載のカードリーダであって、画像消去手段によりカードに可視画像を消去した後に第１及び第２／又は第１の冷却手段によりカードを冷却し、画像形成手段によりカードに可視画像を形成する制御を行う制御部を備えた構成としたものである。
【００３３】
この構成により、請求項２に記載の作用の他、以下のような作用が得られる。
【００３４】
（１）制御手段は、カードに形成された可視画像を消去した後に新たに可視画像を形成する際に、画像消去手段によりカードに可視画像を消去した後に冷却手段によりカードを冷却し画像形成手段によりカードに可視画像を形成するため、新たにカード上に印字された可視画像の印字品質を落とすことなく、カード上の可視画像を消去した後に新たな可視画像を印字するための処理時間を短縮することが可能となる。
【００３５】
（２）カードの変形が防止され、カードに均一にサーマルヘッド，消去ヘッドを接触させることができる。
【００３６】
請求項４に記載の発明は、請求項２または３に記載のカードリーダであって、制御部は、データ記録再生手段がカードにデータを記録又は再生している際に第１及び第２の冷却手段を搬送路より退避させる制御を行う構成としたものである。
【００３７】
この構成により、請求項２または３に記載の作用の他、以下のような作用が得られる。
【００３８】
（１）データ記録再生手段がカードにデータを記録又は再生している際、冷却手段を搬送路より退避しているため、カードを搬送路内で移動する際にカードの搬送をスムーズに行うことができ、データ記録再生手段の記録位置ずれ等を防止することが可能となる。
【００３９】
（２）カードの搬送負荷変動が低減できるので、負荷変動による記録再生エラーを低減させることができる。
【００４５】
請求項５に記載の発明は、請求項２乃至４の何れか一項に記載のカードリーダであって、第１又は第２の冷却手段は、カードを挟持した状態で冷却する一対のローラを備えた構成としたものである。
【００４６】
この構成により、請求項２乃至４の何れか一項に記載の作用の他、以下のような作用が得られる。
【００４７】
（１）冷却手段の構成が簡単であり、カードリーダをコンパクトに構成することができる。
【００４８】
（２）カードを挟持して冷却するため、ローラが確実にカードに接触し、冷却効率がよく、可視画像の良好な発色を得ることが可能となる。
【００４９】
（３）ローラを回転させながら挟持したカードを搬送しつつ冷却を行うため、カードに対して摩擦による損傷を与えることなくカードを冷却することが可能となる。
【００５０】
以下に本発明の一実施の形態について、図面を参照しながら説明する。
【００５１】
（実施の形態１）
図１は本発明の実施の形態１におけるカードリーダの要部断面図である。
【００５２】
図１において、１はデータの記録及び／又は再生を行うことのできるメモリ部と熱可逆性材料等によりキャラクタ等の印字／消去が可能な表示部とを備えたカード、２は本実施の形態１のカードリーダ、３はカードリーダ２のシャーシ、４はシャーシ３の前部に形設されたカード１を挿入する挿入口、５は少なくとも１つのガイダー５ａで構成され一端が挿入口４に連通しシャーシ３内部に前部から後部にかけて形設され内部をカード１が搬送される搬送路、６は挿入口４付近の搬送路５の下部に回転自在に軸支された駆動ローラ、６ａは駆動ローラ６の回転軸、７は挿入口４付近の搬送路５の上部に駆動ローラ６に対向して回転自在に軸支された従動ローラ、７ａは従動ローラ７の回転軸、８はコイルバネからなり回転軸７ａを駆動ローラ６の方向に付勢する弾性部材である。
【００５３】
本実施の形態１において、カード１は、カード状体のものに限るものではなく、帯状態のものや、シート状体のものであってもよい。カード１のメモリ部は、磁気ストライプ，光学ストライプ，ＩＣ等により構成される。また、カード１の表示部は、リライト層を用いたものやライトワンスの追記式のものにより構成される。
【００５４】
駆動ローラ６と従動ローラ７とは搬送路５の上面及び下面から突出して軸設されており、駆動ローラ６の上面と従動ローラ７の下面とが当接する状態で配置されている。回転軸７ａは駆動ローラ６の方向に付勢されているため、従動ローラ７は駆動ローラ６が回転駆動されるのに伴い回転する。挿入口４より挿入されたカード１は、駆動ローラ６と従動ローラ７との間に挟持された状態で、駆動ローラ６の回転により搬送路５内を搬送される。
【００５５】
９はシャーシ３内の従動ローラ７の後方の搬送路５上部に上下動自在に配設された印字ユニット、１０は印字ユニット９の外殻を構成する印字ユニット９のホルダ、１０ａはホルダ１０の上部に貫設されたシャフト、１１は印字ユニット９の中央のホルダ１０内に上下方向可動に配設された印字部、１２は印字部１１のホルダ、１３は下端がホルダ１２の下部に突出してホルダ１２内に配設された印字ヘッド、１４，１５はホルダ１２の上下に平行に水平に貫設されており印字部１１のホルダ１２を印字ユニット９のホルダ１０に上下動自在に支持するシャフト、１６，１７は各々印字ユニット９のホルダ１０の前下部及び後下部に水平に回転自在に軸支された冷却ローラ、１６ａ，１７ａは各々冷却ローラ１６，１７を軸支するシャフト、１８はコイルバネ等で構成されシャフト１４を下方に付勢することにより印字部１１を下方に付勢する弾性部材、１９，２０はコイルバネ等で構成され各々回転軸１６ａ，１７ａを下方に付勢する弾性部材、２１，２２，２３は各々印字ヘッド１３，冷却ローラ１６，１７に対向して搬送路５の下面側に回転自在に軸支された駆動ローラ、２１ａ，２２ａ，２３ａは駆動ローラ２１，２２，２３の回転軸である。
【００５６】
印字ヘッド１３及び冷却ローラ１６，１７は印字ユニット９のホルダ１０下面に突出して配設されており、印字ユニット９が下方に下がったとき、印字ヘッド１３及び冷却ローラ１６，１７が搬送路５の上部から突出するように配置されている。また、印字ユニット９が最下部まで下がったとき、冷却ローラ１６，１７の下面は駆動ローラ２２，２３の上面に当接し、搬送路５内に挿入されたカード１を、冷却ローラ１６と駆動ローラ２２，印字ヘッド１３と駆動ローラ２１，冷却ローラ１７と駆動ローラ２３の間に挟持する。
【００５７】
印字ヘッド１３としては、サーマルヘッド、インクジェットヘッド等が好適に用いられる。カード１の表示部がリライト層により構成されている場合には印字ヘッド１３としてサーマルヘッドを使用し、カード１の表示部が追記式のものにより構成されている場合には、印字ヘッド１３としてサーマルヘッドやインクジェットヘッド等が使用される。
【００５８】
また、本実施の形態では、カード１を冷却する冷却手段として冷却ローラ１６，１７及び駆動ローラ２２，２３を用いているが、冷却手段はこれに限るものではなく、例えば、搬送路５の上方に上下動自在に配設された平板などを使用してもよい。
【００５９】
印字部１１，冷却ローラ１６，１７は、各々弾性部材１８，１９，２０により個別に下方に付勢されているため、カード１を、冷却ローラ１６と駆動ローラ２２，印字ヘッド１３と駆動ローラ２１，冷却ローラ１７と駆動ローラ２３の間に挟持した場合、各々の弾性部材１８，１９，２０の弾性力をカード１の種類・厚み・表示部のリライト層の物性等に適応させて最適の大きさとすることにより、冷却ローラ１６，１７による冷却効果の最適化、及び印字ヘッド１３の接触圧の最適化が可能となり、印字ヘッド１３の摩耗の低減（特に、印字ヘッド１３としてサーマルヘッドを使用した場合。）、印字品質の安定化、印字ヘッド１３の長寿命化を図ることができる。
【００６０】
２４はシャーシ３内部の印字ユニット９の後方の搬送路５下方に配設され磁気ヘッド等により構成されカード１のメモリ部に対してデータの記録及び再生を行うデータ記録再生部、２４ａは従動ローラ２５の前後側面に突設されたシャフト、２５はシャーシ３内部の搬送路５の上方にデータ記録再生部２４と対向して回転自在に軸支された従動ローラ、２６はコイルバネ等で構成されシャフト２４ａを上方に付勢することでデータ記録再生部２４を従動ローラ２５に押圧する弾性部材（図３参照）、２７はシャーシ３内部の搬送路５の下方にデータ記録再生部２４と並んで回転自在に軸支された駆動ローラ、２７ａは駆動ローラ２７の回転軸、２８はシャーシ３内部の搬送路５の上方に駆動ローラ２７と当接した状態で回転自在に軸支された従動ローラ、２８ａは従動ローラ２８の回転軸、２９はコイルバネ等により構成され回転軸２８ａを下方に付勢し従動ローラ２８を駆動ローラ２７に押圧する弾性部材である。
【００６１】
データ記録再生部２４は、弾性部材２６により従動ローラ２５に押圧されているので、搬送路５内をデータ記録再生部２４と従動ローラ２５との間に搬送されるカード１のメモリ部に確実に接触し、カード１のメモリ部への確実なデータの記録及び再生が可能となる。
【００６２】
尚、データ記録再生部２４としては磁気ヘッドに限るものではなく、使用されるカード１のメモリ部の種類に応じて最適なものが使用される。例えば、カード１のメモリ部が磁気ストライプにより構成されている場合には、データ記録再生部２４には磁気ヘッドが使用され、カード１のメモリ部が光学ストライプやバーコード等により構成されている場合には、データ記録再生部２４には光学ヘッドが使用され、カード１のメモリ部が接触式のＩＣカード（カード１内部に搭載されたＩＣとカード１の表面に配設されたＩＣの電極とを備えた構成）により構成されている場合には、データ記録再生部２４にはカード１の表面に配設された電極と接触する少なくとも１つの電極を備えた構成のものが使用され、カード１のメモリ部が非接触式のＩＣカード（カード１内部に搭載されたＩＣとカード１の内部に搭載されたＩＣと無線でデータの授受を行うアンテナ（コイルやコンデンサ）を備えた構成）により構成されている場合には、データ記録再生部２４にはコイル状のアンテナや静電容量を発生させる部品を備えカード１と無線通信可能な構成が使用される。
【００６３】
３０はシャーシ３内部の従動ローラ２５の後方の搬送路５上方に上下動自在に配設された消去ユニット、３１は消去ユニット３０の外殻を構成する消去ユニット３０のホルダ、３１ａはホルダ３１の上部に貫設されたシャフト、３２は消去ユニット３０の中央に配設された消去部、３３は消去部３２のホルダ、３４，３５はホルダ３３の上部に水平に貫設固定され消去部３２を上下動自在に消去ユニット３０のホルダ３１内に支持するシャフト、８６，８７は消去ユニット３０のホルダ３１の両側面に貫設されシャフト３４，３５が遊挿された長孔状の支持口、３６はコイルバネ等により構成されシャフト３４を下方に付勢する弾性部材、３７，３８は消去ユニット３０の下部の消去部３２の前後に回転自在に軸支された冷却ローラ、３７ａ，３８ａは各々冷却ローラ３７，３８の回転軸、３９，４０はコイルバネ等により構成され各々冷却ローラ３７，３８を下方に付勢する弾性部材、４１，４２，４３は各々搬送路５の下部に消去部３２，冷却ローラ３７，３８に対向して回転自在に軸支された駆動ローラ、４１ａ，４２ａ，４３ａは各々駆動ローラ４１，４２，４３の回転軸である。
【００６４】
消去ユニット３０は、カード１の表示部がリライト可能な可逆性の表示手段である場合に設けられるものである。即ち、印字ユニット９によりカード１の表示部に印字し、その印字したものを消去する場合には消去ユニット３０により消去する。例えば、カード１の表示部が熱可逆性のリライト層の場合、消去ユニット３０は、カード１の表示部を所定の温度まで加熱する加熱手段により構成される。尚、カード１の表示部にキャラクタを追記した後そのキャラクタ等を消去する必要のない場合には、消去ユニット３０はなくてもよい。
【００６５】
消去部３２としては、発熱抵抗体（基板上に発熱体を設け、その発熱体を覆うようにガラスやシリカ等の保護膜を設けた構成のヒータ等）などが好適に用いられる。
【００６６】
また、本実施の形態１において、消去部３２の前後においてカード１を冷却する冷却手段としては、冷却ローラ３７，３８を用いたが、冷却手段としてはこれに限られたものではなく、例えば、搬送路５の上部に上下動自在に配設した平板によりカード１を冷却する構成などを使用してもよい。
【００６７】
消去部３２，冷却ローラ３７，３８は、各々弾性部材３６，３９，４０により個別に下方に付勢されているため、カード１を、消去部３２と駆動ローラ４１，冷却ローラ３７と駆動ローラ４２，冷却ローラ３８と駆動ローラ４３の間に挟持した場合、各々の弾性部材３６，３９，４０の弾性力をカード１の種類・厚み・表示部のリライト層の物性等に適応させて最適の大きさとすることにより、冷却ローラ３７，３８による冷却効果の最適化、及び消去部３２の接触圧の最適化が可能となり、消去部３２の摩耗の低減（特に、消去部３２として発熱抵抗体を使用した場合。）、消去特性の安定化、消去部３２の長寿命化を図ることができる。
【００６８】
４４はシャーシ３内部の消去ユニット３０の後方の搬送路５の下部に回転自在に軸支された駆動ローラ、４４ａは駆動ローラ４４の回転軸、４５は搬送路５の上部に駆動ローラ４４に当接して回転自在に軸支された従動ローラ、４５ａは従動ローラ４５の回転軸、４６は回転軸４５ａを下方に付勢することで従動ローラ４５を駆動ローラ４４に押圧付勢するコイルバネ等からなる弾性部材、４７はシャーシ３内部の従動ローラ４５の後方の搬送路５の上部に固定されモータ等からなる駆動部、４８はモータ等からなりシャーシ３内の搬送路５上方の従動ローラ７と印字ユニット９との間に配設され印字ユニット９を昇降させる駆動部、４９はモータ等からなりシャーシ３内の搬送路５上方の消去ユニット３０の後方に配設され消去ユニット３０を昇降させる駆動部である。
【００６９】
図２は実施の形態１のカードリーダの平面図であり、図３は実施の形態１のカードリーダの下面図である。
【００７０】
図２、図３において、２はカードリーダ、３はシャーシ、４は挿入口、５ａはガイダー、６は駆動ローラ、６ａは回転軸、７は従動ローラ、７ａは回転軸、９は印字ユニット、１０はホルダ、１１は印字部、１４はシャフト、１６，１７は冷却ローラ、２１，２２，２３は駆動ローラ、２１ａ，２２ａ，２３ａは回転軸、２４はデータ記録再生部、２４ａはシャフト、２５は従動ローラ、２６は弾性部材、２７は駆動ローラ、２７ａは回転軸、２８は従動ローラ、２８ａは回転軸、２９は弾性部材、３０は消去ユニット、３１はホルダ、３２は消去部、３４はシャフト、３７，３８は冷却ローラ、３７ａ，３８ａは回転軸、４１，４２，４３は駆動ローラ、４１ａ，４２ａ，４３ａは回転軸、４４は駆動ローラ、４４ａは回転軸、４５は従動ローラ、４５ａは回転軸、４６は弾性部材、４７は駆動部、４８は駆動部、４９は駆動部であり、これらは図１と同様のものであるので同一の符号を付して説明を省略する。
【００７１】
４７ａは駆動部４７の回転軸、４７ｂは回転軸４７ａに軸支されシャーシ３の右側部に配設された駆動ギア、５０は駆動ギア４７ｂの下方に回転自在に軸支され駆動ギア４７ｂと噛合する従動ギア、５０ａは従動ギア５０の回転軸に軸支された従動ギア、５１は従動ギア５０ａの前方のシャーシ３の右側部外側に回転自在に軸支され従動ギア５０ａに噛合する従動ギア、５２はシャーシ３の右側部外側において回転軸４４ａに軸支され従動ギア５１に噛合する従動ギア、５３はシャーシ３の左側部外側において回転軸４４ａに軸支されたプーリ、５４，５５はシャーシ３の左側部外側において回転軸２７ａに軸支されたプーリ及びプーリ、５６はプーリ５３とプーリ５４とに掛架されたベルト、５７はシャーシ３の左側部外側において回転軸６ａに軸支されたプーリ、５８はプーリ５５とプーリ５７とに掛架されたベルト、５９はシャーシ３の右側部外側において回転軸６ａに軸支されたプーリ、６０はシャーシ３の右側部外側において回転軸２５ａに軸支されたプーリ、６１はプーリ５９とプーリ６０とに掛架されたベルト、６２はシャーシ３の右側部外側において回転軸２５ａに軸支された従動ギア、６３，６４，６５は各々シャーシ３の右側部外側において回転軸４２ａ，４１ａ，４３ａに軸支された従動ギア、６３ａ，６４ａ，６５ａはシャーシ３の右側部外側に回転自在に軸支され各々従動ギア６２と従動ギア６３，従動ギア６３と従動ギア６４，従動ギア６４と従動ギア６５とに噛合するアイドラ、６６，６７，６８は各々シャーシ３の右側部外側において回転軸２３ａ，２１ａ，２２ａに軸支された従動ギア、６６ａ，６７ａ，６８ａはシャーシ３の右側部外側に回転自在に軸支され各々従動ギア６２と従動ギア６６，従動ギア６６と従動ギア６７，従動ギア６７と従動ギア６８とに噛合するアイドラ、６９はシャフト１０ａの左右両端に軸設されたカムフォロア、７０はシャーシ３の左右側部外側に回転自在に軸支されカムフォロア６９に当接するカム、７０ａはシャーシ３の右側部外側にカム７０の回転軸に軸支された従動ギア、７１は駆動部４８の回転軸に軸支され駆動部４８により回転駆動される駆動ギア、７２はシャーシ３の右側部外側に回転自在に軸支され駆動ギア７１と噛合する従動ギア、７３は従動ギア７２の回転軸に軸支され従動ギア７０ａと噛合する従動ギア、７４はシャーシ３の右側部外側に配設され駆動部４９の回転軸に軸支され駆動部４９により回転駆動される駆動ギア、７５はシャーシ３の右側部外側に回転自在に軸支され駆動ギア７４と噛合する従動ギア、７６は従動ギア７５の回転軸に軸支された従動ギア、７７はシャーシ３の右側部外側に回転自在に軸支され従動ギア７６と噛合する従動ギア、７８はシャーシ３の左右側部外側に従動ギア７７の回転軸７７ａ（図１２参照）により軸支されたカム、７９はシャフト３１ａの左右両端部に軸支されカム７８に上方から当接するカムフォロアである。
【００７２】
カム７０は、シャーシ３の左右側部外側に回転軸７０ｂ（図８参照）により回転自在に軸支されており、従動ギア７０ａが回転駆動されることにより、回転軸７０ｂが回転し、それに伴って、シャーシ３の左右のカム７０が同時に回転する。同様に、カム７８は、シャーシ３の左右側部外側に回転軸７７ａ（図１２参照）により回転自在に軸支されており、従動ギア７７が回転駆動されることにより、回転軸７７ａが回転し、それに伴って、シャーシ３の左右のカム７８が同時に回転する。
【００７３】
尚、カムフォロア６９及びカムフォロア７９は、シャフト１０ａ及びシャフト３１ａに回転自在に軸支することが好ましい。これにより、カムフォロア６９とカム７０，カムフォロア７９とカム７８の間の摩擦が抑えられ、印字ユニット９及び消去ユニット３０の上下駆動をスムーズに行うことが可能となる。
【００７４】
図４は実施の形態１のカードリーダの右側面図であり、図５は実施の形態１のカードリーダの左側面図である。
【００７５】
図４、図５において、２はカードリーダ、３はシャーシ、６ａは回転軸、１０ａはシャフト、２１ａ，２２ａ，２３ａは回転軸、２７ａは回転軸、３１ａはシャフト、４１ａ，４２ａ，４３ａは回転軸、４４ａは回転軸、４７は駆動部、４７ａは回転軸、４７ｂは駆動ギア、５０は従動ギア、５１は従動ギア、５２は従動ギア、５３はプーリ、５４はプーリ、５５はプーリ、５６はベルト、５７はプーリ、５８はベルト、５９はプーリ、６０はプーリ、６１はベルト、６３は従動ギア、６４は従動ギア、６５は従動ギア、６３ａ，６４ａ，６５ａはアイドラ、６６は従動ギア、６７は従動ギア、６８は従動ギア、６６ａ，６７ａ，６８ａはアイドラ、６９はカムフォロア、７０はカム、７１は駆動ギア、７２は従動ギア、７３は従動ギア、７４は駆動ギア、７５は従動ギア、７６は従動ギア、７８はカム、７９はカムフォロアであり、これらは図１乃至図３と同様のものなので、同一の符号を付して説明を省略する。
【００７６】
３ａはシャーシ３の下部側を構成する下部シャーシ、３ｂは上部シャーシ３ａに回動自在に軸支されシャーシ３の上部を構成する上部シャーシ、３ｃは下部シャーシ３ｂを上部シャーシ３ａに回動自在に軸支する回動軸、８０，８１は各々シャーシ３の両側面前後上端に溝状に形設されたシャフト支持溝である。印字ユニット９に貫設固定されたシャフト１０ａは、その両端がシャーシ３の両側面のシャフト支持溝８０に支承されており、カム７０が従動ギア６７を押圧することにより、シャフト１０ａ両端は左右のシャフト支持溝８０内を上下方向に移動し、それに伴って印字ユニット９は上下方向に移動する。また、消去ユニット３０に貫設固定されたシャフト３１ａは、その両端がシャーシ３の両側面のシャフト支持溝８１に支承されており、カム７８がカムフォロア７９を押圧することにより、シャフト３１ａ両端は左右のシャフト支持溝８１内を上下方向に移動し、それに伴って消去ユニット３０は上下方向に移動する。
【００７７】
尚、本実施の形態１では、シャーシ３は、上部シャーシ３ａと下部シャーシ３ｂに分割されて構成されており、下部シャーシ３ｂを上部シャーシ３ａに回動軸３ｃを軸に回動自在に取り付ける事により、搬送路５内でカード１が詰まった際や、シャーシ３内部のメンテナンスの際に、下部シャーシ３ｂを回動軸３ｃを中心に回動させ拡開することで、搬送路５を裸出する事ができる。この時、駆動部４７を、下側（設置側）となる上部シャーシ３ａの側に配設し、駆動部４８，４９を下部シャーシ３ｂの側に配設することで、全体の重量バランスが安定し、搬送路５を裸出する際の操作などが容易となる。
【００７８】
図６は印字ユニットが上昇した状態を示す印字部を表す図であり、図７は印字ユニットが下降した状態を示す印字部を表す図であり、図８は印字ユニットが上昇した状態における冷却ローラを示す図であり、図９は印字ユニットが下降した状態における冷却ローラを示す図であり、図１０は消去ユニットが上昇した状態における消去部を示す図であり、図１１は消去ユニットが下降した状態における消去部を示す図であり、図１２は消去ユニットが上昇した状態における冷却ローラを示す図であり、図１３は消去ユニットが下降した状態における冷却ローラを示す図である。
【００７９】
図６乃至図１３において、１はカード、３ａは上部シャーシ、３ｂは下部シャーシ、５ａはガイダー、９は印字ユニット、１０はホルダ、１０ａはシャフト、１１は印字部、１２はホルダ、１３は印字ヘッド、１４，１５はシャフト、１６は冷却ローラ、１６ａ，１７ａは回転軸、２１，２２は駆動ローラ、２１ａ，２２ａは回転軸、３０は消去ユニット、３１はホルダ、３１ａはシャフト、３２は消去部、３３はホルダ、３４，３５はシャフト、３８は冷却ローラ、３８ａは回転軸、４１，４３は駆動ローラ、４１ａ，４３ａは回転軸、６４は従動ギア、６７は従動ギア、６９はカムフォロア、７０はカム、７０ａは従動ギア、７７は従動ギア、７８はカム、７９はカムフォロア、８０，８１はシャフト支持溝であり、これたは図１乃至図５と同様のものであり、同一の符号を付して説明を省略する。
【００８０】
８２，８３は印字ユニット９の左右両側面に貫設され各々シャフト１４，１５の両端が可動自在に挿設された長孔からなる印字部支持口、８４は印字ユニット９の左右両側面に貫設され回転軸７０ｂが挿通されたカム回転軸挿通口、８５は印字ユニット９の左右両側面に貫設され回転軸１６ａの両端が可動自在に挿設された長孔からなる冷却ローラ支持口、８６，８７は消去ユニット３０の左右両側面に貫設され各々シャフト３４，３５の両端が可動自在に挿設された長孔からなる消去部支持口、８８は消去ユニット３０の左右両側面に貫設され回転軸７７ａが挿通されたカム回転軸挿通口、８９は消去ユニット３０の左右両側面に貫設され回転軸３８ａの両端が可動自在に挿設された長孔からなる冷却ローラ支持口である。
【００８１】
下部シャーシ３ｂの左右のカム７０，７０は、回転軸７０ｂに軸支されており、回転軸７０ｂの回転によってカム７０，７０は回転する。同様に、下部シャーシ３ｂの左右のカム７８，７８は、回転軸７７ａに軸支されており、回転軸７７ａの回転によってカム７８，７８は回転する。
【００８２】
左右のカム７０，７０及び左右のカム７８，７８は、同一形状であり、その外周形状は、円周方向に回転軸７０ｂ又は回転軸７７ａからの距離が異なるような形状とされており、好ましくは、外周部に段差を設けることが好ましい（図８，図１０参照）。
【００８３】
シャフト１０ａの左右両端に軸支され左右のカム７０，７０の上面に当接するカムフォロア６９は、下部シャーシ３ｂの左右両側面に形設されたシャフト支持溝８０，８０に支承されており、カム７０が回転しカムフォロア６９を押し上げると、シャフト１０ａはシャフト支持溝８０の底部から持ち上げられ上方に移動する。これにより、印字ユニット９は垂直上方に移動する。同様に、消去ユニット３０もカム７８，７８が回転しカムフォロア７９を押し上げることにより上方に移動する。
【００８４】
尚、印字ユニット９は、弾性部材１９，２０により、回転軸１６ａ，１７ａを介して下方に付勢されており、消去ユニット３０は、弾性部材３９，４０により、回転軸３７ａ，３８ａを介して下方に付勢されている（図１参照）。また、冷却ローラ１６の回転軸１６ａの左右両端は、冷却ローラ支持口８５に軸承されており、弾性部材１９により下方に付勢されている（図８参照。冷却ローラ１７についても冷却ローラ１６と同様の構成であるので、ここでは説明を省略する）。回転軸１６ａは冷却ローラ支持口８５内を垂直方向に可動自在であるため、カード１が冷却ローラ１６を押し上げた場合、冷却ローラ１６はカード１を押圧しつつ上方に持ち上げられる（図９参照）。同様に、冷却ローラ３８の回転軸３８ａの左右両端は、冷却ローラ支持口８９に軸承されており、弾性部材４０により下方に付勢されている（図１２参照。冷却ローラ３７についても冷却ローラ３８と同様の構成であるので、ここでは説明を省略する）。従って、回転軸３８ａは冷却ローラ支持口８９内を垂直方向に可動自在であるため、カード１が冷却ローラ３８を押し上げた場合、冷却ローラ３８はカード１を押圧しつつ上方に持ち上げられる（図１３参照）。
【００８５】
以上のように構成された本実施の形態のカードリーダについて、以下その動作を説明する。
【００８６】
まず、カードリーダ２の各部の動作について説明する。
【００８７】
カード１が挿入口４より搬送路５内へ差し込まれた場合、搬送路５内へ差し込まれたカード１は、ガイダー５ａにより、搬送路５内の所定の位置に位置決めされる（図６〜図１３参照）。従って、カード１はガイダー５ａにより常に搬送路５内の所定の位置に位置決めされた状態で搬送路５内を搬送される。
【００８８】
駆動部４７が回転軸４７ａを回転駆動すると（図２〜図５参照）、駆動ギア４７ｂが回転し、それに従動して、従動ギア５０，５０ａ，５１，５２に回転が伝達され、回転軸４４ａを介して駆動ローラ４４が回転駆動される。更に、回転軸４４ａの回転に伴い、プーリ５３が回転し、ベルト５６を介してプーリ５４に回転が伝達され、回転軸２７ａ，駆動ローラ２７が回転駆動される。また、回転軸２７ａの回転により、それに軸支されたプーリ５５，６０が回転し、ベルト５８，６１を介して、プーリ５７，５９に回転が伝達され、回転軸６ａ，駆動ローラ６が回転駆動される。また、回転軸２７ａの回転により、回転軸２７ａに軸支された従動ギア６２が回転し、それに噛合するアイドラ６３ａ，６６ａに回転が伝達され、これに伴い、アイドラ６３ａ，従動ギア６３，アイドラ６４ａ，従動ギア６４，アイドラ６５ａ，従動ギア６５、及び、アイドラ６６ａ，従動ギア６６，アイドラ６７ａ，従動ギア６７，アイドラ６８ａ，従動ギア６８の順に回転が伝達され、回転軸４２ａ，回転軸４１ａ，回転軸４３ａを介して駆動ローラ４２，４１，４３が、及び、回転軸２３ａ，回転軸２１ａ，回転軸２２ａを介して駆動ローラ２３，２１，２２が回転駆動される。
【００８９】
従って、駆動部４７の回転駆動力により、回転軸６ａ，２２，２１，２３，２７，４２，４１，４３，４４の各々が、カード１を前方から後方に送る向き又はその逆向きに回転駆動される。また、それに伴い、各駆動ローラに当接する従動ローラも回転する。
【００９０】
カード１の表示部にキャラクタ等の印字を行う場合、カム７０を回転させ、図７及び図９に示すように、印字ユニット９を最下部に移動させる。この際、駆動部４８により駆動ギア７１を回転駆動し、従動ギア７２，７３，７０ａを介してカム７０に回転を伝達することにより、カム７０は回転駆動される。この状態では、カード１の表示部は、印字ヘッド１３と駆動ローラ２１，冷却ローラ１６と駆動ローラ２２，冷却ローラ１７と駆動ローラ２３とに挟持された状態となっている。従って、駆動ローラ２２，２１，２３の回転により印字ユニット９の下方を搬送されるカード１の表示部は、まず、冷却ローラ１６又は冷却ローラ１７により冷却され、次いで、印字ヘッド１３により印字され、更に、冷却ローラ１７又は冷却ローラ１６により冷却され印字・冷却される。従って、印字前において、後述の消去ユニット３０による消去動作等によりカード１が加熱されていても、冷却ローラ１６又は冷却ローラ１７により、印字前にカード１は冷却されるため、常に良好な印字品質（発色濃度）を得ることが可能となる。
【００９１】
印字部１１，冷却ローラ１６，１７は、上下動自在で各々弾性部材１８，１９，２０により下方に付勢されているため、カード１が印字ヘッド１３と駆動ローラ２１，冷却ローラ１６と駆動ローラ２２，冷却ローラ１７と駆動ローラ２３との間に搬入された際、印字ヘッド１３，冷却ローラ１６，１７は、各々、常にカード１の表面に当接した状態を保ちつつ、カード１の厚み分だけ上方に押し上げられる。
【００９２】
尚、カード１の表示部に印字を行わない場合には、駆動部４８によりカム７０を回転させ、図６及び図８に示すように、印字ユニット９を上方に移動させ、搬送路５内を搬送させるカード１に当接しない状態とする。これにより、カード１は搬送路５内をスムーズに搬送される。
【００９３】
カード１の表示部に印字されたキャラクタ等の消去を行う場合、カム７０を回転させ、図１１及び図１３に示すように、消去ユニット３０を最下部に移動させる。この際、駆動部４９により駆動ギア７４を回転駆動し、従動ギア７５，７６，７７を介してカム７８に回転を伝達することにより、カム７８は回転駆動される。この状態では、カード１の表示部は、消去部３２と駆動ローラ４１，冷却ローラ３７と駆動ローラ４２，冷却ローラ３８と駆動ローラ４３とに挟持された状態となっている。従って、駆動ローラ４２，４１，４３の回転により消去ユニット３０の下方を搬送されるカード１の表示部は、まず、冷却ローラ３７又は冷却ローラ３８により冷却され、次いで、消去部３２により表示部に印字されたキャラクタ等が消去され、更に、冷却ローラ３８又は冷却ローラ３７により冷却され消去・冷却される。従って、消去後において、カード１の表示部は冷却ローラ３７又は冷却ローラ３８により冷却されるため、その後印字ユニット９により印字を行う際に良好な印字品質（良好な発色）を得ることが可能となる。
【００９４】
消去部３２，冷却ローラ３７，３８は、上下動自在で各々弾性部材３６，３９，４０により下方に付勢されているため、カード１が消去部３２と駆動ローラ４１，冷却ローラ３７と駆動ローラ４２，冷却ローラ３８と駆動ローラ４３との間に搬入された際、消去部３２，冷却ローラ３７，３８は、各々、常にカード１の表面に当接した状態を保ちつつ、カード１の厚み分だけ上方に押し上げられる。
【００９５】
尚、カード１の表示部の消去を行わない場合には、駆動部４９によりカム７８を回転させ、図１０及び図１２に示すように、消去ユニット３０を上方に移動させ、搬送路５内を搬送させるカード１に当接しない状態とする。これにより、カード１は搬送路５内をスムーズに搬送される。
【００９６】
カード１のメモリ部にデータの記録及び／又は再生を行う場合には、カード１のメモリ部をデータ記録再生部２４上を搬送し、その際、データ記録再生部２４によりカード１のメモリ部にデータの記録及び／又は再生を行う。
【００９７】
次に、本実施の形態のカードリーダによるカードの処理方法の一例について説明する。
【００９８】
まず、カード１が挿入口４より搬送路５内に挿入されると、光センサ等のセンサ（図示せず）により、カード１が挿入口４に挿入されたことが検出される。カード１が挿入口４に挿入されたことが検出されると、制御部（図示せず）は、まず、駆動部４７を起動させ、回転軸６ａ，２２，２１，２３，２７，４２，４１，４３，４４の各々を回転駆動し、カード１を搬送路５内後方へ搬送する。
【００９９】
次いで、カード１はデータ記録再生部２４上へ搬送され、データ記録再生部２４は、カード１のメモリ部に記録されているデータを読みとる。次に、制御部は、駆動部４７の回転駆動方向を反転させ、カード１を搬送路５内前方へ搬送し、データ記録再生部２４によりカード１のメモリ部にデータを記録する。次に、制御部は、再び駆動部４７の回転駆動方向を反転させ、カード１をデータ記録再生部２４の上方を後方に向かって搬送し、カード１のメモリ部に記録されたデータを再度読みとり、データの記録ミスの検査を行う（以下、この動作をベリファイと呼ぶ）。
【０１００】
このように、カード１のメモリ部にデータの記録又は再生を行っている最中には、印字ユニット９及び消去ユニット３０は、上方に移動されており、印字ヘッド１３，冷却ローラ１６，１７及び消去部３２，冷却ローラ３７，３８は搬送路５の上方に退避した状態となっている。従って、搬送路５内のカード１の搬送はスムーズに行われ、カード１の搬送中の揺れが少なく、カード１の揺れがデータの記録又は再生に支障を来すことが防止される。更に、カード１と各冷却ローラとの接触時間を短くすることができるため、カード１と冷却ローラとの接触による摩耗等により、カード１の寿命が短縮することが防止される。
【０１０１】
カード１のベリファイが終了した後、制御部はカード１を搬送路５の後端部まで移動する。その後、カード１の表示部に印字されたキャラクタ等を消去する必要がある場合、制御部は、駆動部４７によりカード１を搬送路５内前方に搬送すると共に、駆動部４９を駆動させ、消去ユニット３０を下方に移動させる。カード１の前端部が駆動部４８の下部に到達した時点で消去ユニット３０の駆動部４８をカード１に当接させる。次いで、カード１を従動ギア５０と弾性部材４６，駆動部４９と駆動ローラ４３，駆動部４８と弾性部材４０との間に挟持した状態で搬送し、駆動部４９によりカード１の表示部に印字されたキャラクタ等を消去し、駆動部４８によりカード１を冷却する。
【０１０２】
その後、カード１の表示部にキャラクタ等を印字する場合には、制御部は駆動部４８を駆動させ、印字ユニット９を下方に移動し、カード１の前端部が冷却ローラ１６の下部に到達したら、冷却ローラ１６をカード１の上面に当接させる。カード１は冷却ローラ１７と駆動ローラ２３とに挟持され搬送されることで冷却され、その後、カード１の表示部に印字ヘッド１３により印字が行われ、最後に、カード１が冷却ローラ１７と駆動ローラ２３とに挟持され搬送されることで冷却され、挿入口４より搬送路５外部へ排出される。カード１が搬送路５より完全に排出されたことをセンサが検知すると、制御部は駆動部４７を停止し、駆動部４８，４９により印字ユニット９，消去ユニット３０を上方に退避させ、動作を終了する。
【０１０３】
以上のように、本実施の形態のカードリーダによれば、カードの表示部に印字する前に冷却ローラでカードを冷却するため、良好な発色を得ることができ、更に、印字ユニット９及び消去ユニット３０を搬送路５から退避可能としたため、カード１を搬送する際にカード１の搬送に支障をきたすことがなくスムーズにカード１を搬送することができ、冷却ローラが不必要にカード１へ接触することによるカード１の損傷も防止する事が防止される。
【０１０４】
尚、本実施の形態１においては、利便性の向上、構成の簡略化等のため、冷却ローラ１６，１７を印字部１１と一体に構成し印字部１１と共に搬送路５の上方に上下動自在に構成しているが、冷却ローラ１６，１７は印字部１１と一体とするものに限られるものではなく、冷却ローラ１６，１７及び印字部１１を各々独立に可動とし、各々が個別に上下動自在となるように構成してもよい。このような構成とすることで、構造が多少複雑となるが、カード１の表示部への印字品質、冷却効果が向上し、また、カード１の搬送路５内の搬送をよりスムーズに行うことが可能となる。
【０１０５】
同様に、冷却ローラ３７，３８を消去ユニット３０と一体に構成し消去ユニット３０と共に搬送路５の上方に上下動自在に構成しているが、冷却ローラ３７，３８は消去ユニット３０と一体とするものに限られるものではなく、冷却ローラ３７，３８及び消去ユニット３０を各々独立に可動とし、各々が個別に上下動自在となるように構成してもよい。このような構成とすることで、構造が多少複雑となるが、カード１の表示部の消去特性、冷却効果が向上し、また、カード１の搬送路５内の搬送をよりスムーズに行うことが可能となる。
【０１０６】
更に、本実施の形態１においては、印字部１１の前後でカード１を冷却する手段として、冷却ローラ１６，１７の２つを用いたが、消去ユニット３０の有無、或いはカード１を印字する方向、消去する方向によっては、１つの冷却ローラを用いるだけでも十分な冷却効果を得ることができる。同様に、消去ユニット３０の前後でカード１を冷却する手段として、冷却ローラ３７，３８の２つを用いたが、カード１を印字する方向、消去する方向によっては、１つの冷却ローラを用いるだけでも十分な冷却効果を得ることができる。これら冷却ローラの数を増やせば、カード１の冷却効果は向上するが、小型化・処理時間の短縮等を考慮すると、印字部１１の前後又は消去ユニット３０の前後において、冷却ローラは４個以下とすることが好ましい。
【０１０７】
【発明の効果】
以上のように、本発明の請求項１の発明によれば、次のような有利な効果を得ることができ、
（１）カード上の印字品質を落とすことなく、カードに可視画像を印字するための処理時間を短縮することが可能で、カードを搬送路内でスムーズに搬送することが可能なカードリーダを提供することができる。
【０１０８】
請求項２の発明によれば、
（１）可視画像の消去後のカード上の印字品質を落とすことなく、カード上の可視画像を消去した後に新たな可視画像を印字するための処理時間を短縮することが可能なカードリーダを提供することができ、可視画像を消去した後に確実にカードを冷却し、カードが冷却された後にカード上に新たに可視画像を形成することが可能となり、可視画像の良好な発色を得ることが可能となる。
【０１０９】
（２）冷却手段は接触による伝熱でカードを冷却するため、冷却ファンのように大きな設置スペースを必要とせず、装置の小型化が可能なカードリーダを提供することができる。
【０１１０】
（３）カードに可視画像を消去・形成しない場合には、冷却手段を搬送路から退避させることが可能であり、カードを搬送路内で移動する際にカードの搬送をスムーズに行うことが可能なカードリーダを提供することができる。
【０１１１】
請求項３の発明によれば、請求項１の効果の他、
（１）新たにカード上に印字された可視画像の印字品質を落とすことなく、カード上の可視画像を消去した後に新たな可視画像を印字するための処理時間を短縮することが可能なカードリーダを提供することができる。
【０１１２】
請求項４の発明によれば、請求項２または３の効果の他、
（１）カードを搬送路内で移動する際にカードの搬送をスムーズに行うことができ、データ記録再生手段の記録位置ずれ等を防止することが可能なカードリーダを提供することができる。
【０１１４】
請求項５の発明によれば、請求項２乃至４の何れか一項の効果の他、（１）冷却手段の構成が簡単であり、カードリーダをコンパクトに構成することが可能なカードリーダを提供することができる。
【０１１５】
（２）カードを挟持して冷却するため、ローラが確実にカードに接触し、冷却効率がよく、可視画像の良好な発色を得ることが可能なカードリーダを提供することができる。
【０１１６】
（３）ローラを回転させながら挟持したカードを搬送しつつ冷却を行うため、カードに対して摩擦による損傷を与えることなくカードを冷却することが可能なカードリーダを提供することができる。
【図面の簡単な説明】
【図１】本発明の実施の形態１におけるカードリーダの要部断面図
【図２】実施の形態１のカードリーダの平面図
【図３】実施の形態１のカードリーダの下面図
【図４】実施の形態１のカードリーダの右側面図
【図５】実施の形態１のカードリーダの左側面図
【図６】印字ユニットが上昇した状態を示す印字部を表す図
【図７】印字ユニットが下降した状態を示す印字部を表す図
【図８】印字ユニットが上昇した状態における冷却ローラを示す図
【図９】印字ユニットが下降した状態における冷却ローラを示す図
【図１０】消去ユニットが上昇した状態における消去部を示す図
【図１１】消去ユニットが下降した状態における消去部を示す図
【図１２】消去ユニットが上昇した状態における冷却ローラを示す図
【図１３】消去ユニットが下降した状態における冷却ローラを示す図
【図１４】従来のカードリーダの要部断面図
【符号の説明】
１  カード
２  カードリーダ
３  シャーシ
３ａ  上部シャーシ
３ｂ  下部シャーシ
３ｃ  回動軸
４  挿入口
５  搬送路
５ａ  ガイダー
６  駆動ローラ
６ａ  回転軸
７  従動ローラ
７ａ  回転軸
８  弾性部材
９  印字ユニット
１０  ホルダ
１０ａ  シャフト
１１  印字部
１２  ホルダ
１３  印字ヘッド
１４，１５  シャフト
１６，１７  冷却ローラ
１６ａ，１７ａ  回転軸
１８  弾性部材
１９，２０  弾性部材
２１，２２，２３  駆動ローラ
２１ａ，２２ａ，２３ａ  回転軸
２４  データ記録再生部
２４ａ  シャフト
２５  従動ローラ
２５ａ  回転軸
２６  弾性部材
２７  駆動ローラ
２７ａ  回転軸
２８  従動ローラ
２８ａ  回転軸
２９  弾性部材
３０  消去ユニット
３１  ホルダ
３１ａ  シャフト
３２  消去部
３３  ホルダ
３４，３５  シャフト
３６  弾性部材
３７，３８  冷却ローラ
３７ａ，３８ａ  回転軸
３９，４０  弾性部材
４１，４２，４３  駆動ローラ
４１ａ，４２ａ，４３ａ  回転軸
４４  駆動ローラ
４４ａ  回転軸
４５  従動ローラ
４５ａ  回転軸
４６  弾性部材
４７  駆動部
４７ａ  回転軸
４８  駆動部
４９  駆動部
４７ｂ  駆動ギア
５０  従動ギア
５０ａ  従動ギア
５１  従動ギア
５２  従動ギア
５３  プーリ
５４  プーリ
５５  プーリ
５６  ベルト
５７  プーリ
５８  ベルト
５９  プーリ
６０  プーリ
６１  ベルト
６２  従動ギア
６３  従動ギア
６４  従動ギア
６５  従動ギア
６３ａ，６４ａ，６５ａ  アイドラ
６６  従動ギア
６７  従動ギア
６８  従動ギア
６６ａ，６７ａ，６８ａ  アイドラ
６９  カムフォロア
７０  カム
７０ａ  従動ギア
７０ｂ  回転軸
７１  駆動ギア
７２  従動ギア
７３  従動ギア
７４  駆動ギア
７５  従動ギア
７６  従動ギア
７７  従動ギア
７７ａ  回転軸
７８  カム
７９  カムフォロア
８０，８１  シャフト支持溝
８２，８３  印字部支持口
８４  カム回転軸挿通口
８５  冷却ローラ支持口
８６，８７  消去部支持口
８８  カム回転軸挿通口
８９  冷却ローラ支持口
１００  カードリーダ
１０１  シャーシ
１０２  挿入口
１０３  搬送路
１０３ａ  ガイダー
１０４，１０５，１０６  駆動ローラ
１０７，１０８，１０９  従動ローラ
１１０  磁気ヘッド
１１１  押圧ローラ
１１２  サーマルヘッド
１１３  サーマルヘッドホルダ
１１４  回動桿
１１４ａ  回動軸
１１４ｂ  コイルバネ
１１５  プラテン
１１６  消去ヘッド
１１７  消去ヘッドホルダ
１１７ａ  コイルバネ
１１８  回動軸
１１９  プラテン
１２０  昇降モータ
１２１  カム
【図１】
0003752900.tif 000002
【図２】
0003752900.tif 000003
【図３】
0003752900.tif 000004
【図４】
0003752900.tif 000005
【図５】
0003752900.tif 000006
【図６】
0003752900.tif 000007
【図７】
0003752900.tif 000008
【図８】
0003752900.tif 000009
【図９】
0003752900.tif 000010
【図１０】
0003752900.tif 000011
【図１１】
0003752900.tif 000012
【図１２】
0003752900.tif 000013
【図１３】
0003752900.tif 000014
【図１４】
0003752900.tif 000015